(57)【特許請求の範囲】
【請求項１】
洗濯ばさみの一方側つまみ部端部に、はさみ部を開口保持する開口保持部を設け、かつ、洗濯ばさみの他方側つまみ部端部に、バネを圧縮してたわませながら回転軸を中心として持ち上がる爪を設け、前記開口保持部と前記爪とは係止可能であることを特徴とする洗濯ばさみ。
【請求項２】
前記開口保持部と前記爪との係止を解除する解除レバーを、前記回転軸に対して前記爪の反対側に、前記爪と一体的に設けたことを特徴とする請求項１記載の洗濯ばさみ。
【発明の詳細な説明】
【技術分野】
【０００１】  本発明は、片手で洗濯ものが干せる洗濯ばさみに関するものである。
【背景技術】
【０００２】  従来の洗濯ばさみは、一方の手で洗濯ばさみをつまんで開き、その状態を保持し、残る他方の手で洗濯ものを洗濯ばさみの開口部に差し込むため、両手が同時に必要だった。
【発明の概要】
【発明が解決しようとする課題】
【０００３】  洗濯ものを洗濯ばさみに干す時、従来の洗濯ばさみは、一方の手で洗濯ばさみをつまんで開き、その状態で保持し、残る他方の手で洗濯ものを洗濯ばさみの開口部に差し込んだ後、保持している手を離し開口部を閉じる動作を行うため、両手が同時に必要だった。そのため、怪我などで片手が使えない時、或いは片手が不自由な人は、同時に両手を使うこの一連の動作が出来ず、洗濯ものを干す時、大変難儀をしていた。【０００４】  また、従来の洗濯ばさみを使用する際の一連の動作は、完結するまでに多くの手間と時間を労し、毎日の洗濯ものを干す人にとっても、負担になっていたため、操作を片手だけで出来るよう簡素化する事によって、作業効率を向上させ、負担を軽減したい。【０００５】  本発明は、従来の両手を必要とする洗濯ばさみを、片手だけで操作する事を目的としている。
【課題を解決するための手段】
【０００６】本発明は、洗濯ばさみの一方側つまみ部端部に、はさみ部を開口保持する開口保持部を設け、かつ、洗濯ばさみの他方側つまみ部端部に、バネを圧縮してたわませながら回転軸を中心として持ち上がる爪を設け、前記開口保持部と前記爪とは係止可能であることを特徴とする。【０００７】さらに本発明は、前記開口保持部と前記爪との係止を解除する解除レバーを、前記回転軸に対して前記爪の反対側に、前記爪と一体的に設けたことを特徴とする。
【発明の効果】
【０００８】  従来の洗濯ばさみに洗濯ものを干そうとすると、まず、ア、片手で洗濯ばさみをつまんで、はさみ部を開き、イ、その開いた状態を保持しつつ、ウ、もう片方の手で、洗濯ものをはさみ部に差し込み、エ、洗濯ばさみをつまんだ手の力を抜き、はさみ部を閉じる。という、４段階の動作が必要となるが、これは、両手が同時に使える事を前提としており、怪我で片手が使えない時や、片手が不自由な人には大変難儀な作業だった。【０００９】  そこで本発明の洗濯ばさみは、片手だけで洗濯ものが干せるように、洗濯ばさみの一方の側つまみ部上部に、バネ可動式の爪を取り付けた。片手で洗濯ばさみをつまみ、はさみ部を開くと、この爪が、洗濯ばさみの他方側つまみ部上部に引っかかって止まり、はさみ部を開いたままの状態で保持する。これにより、従来の動作のアとイが、洗濯ばさみをつまむという、片手の１動作だけで済み、つまんでいた片手ははさみ部の開放保持から開放される。【００１０】  次に、洗濯ものをはさみ部にはさむウとエの動作であるが、本発明に用いたバネ可動式の爪は、はさみ部の開口状態保持を解除する解除レバーと連動しており、解除レバーを操作するとバネ可動式の爪は他方側つまみ部上部からはずれるため、他方側つまみ部が元の位置に戻り、はさみ部は閉じる。この解除レバーは指一本で操作できるので、はさみ部の開口保持から開放された手で、洗濯ものをはさみ部に差し込み、その手の指で解除レバーを押すことにより、片手だけで従来のウとエの動作が出来る。【００１１】  以上従来の洗濯ばさみが必要とする、両手を同時に使う４段階の動作を、本発明はア´洗濯ばさみをつまむ。イ´洗濯ものを差し込む。ウ´洗濯ばさみの解除レバーを押す。という片手の３動作で完結させる事が出来る。【００１２】  しかも、実際に洗濯ものを干す場合、洗濯ばさみは前回の洗濯ものを取り込んだ空の状態となっており、従来の洗濯ばさみが、閉じているはさみ部を開くという動作から始めなければならないのに対し、本発明は、前回の洗濯ものを取り込んだ時点ではさみ部は開いた状態に保持されるため、洗濯ものはイ´とウ´の２動作だけで干す事が出来る。【００１３】  上述したように本発明は、両手を同時に使い、４段階の動作を必要とする従来の洗濯ばさみに対し、片手のみを使用し、実質２動作で完結するので、片手が使えない時や、片手が不自由な人も簡単に洗濯ものを干す事が出来る。また、両手が使える状態であれば、それぞれの手で、別々の洗濯ばさみを同時に操作する事により、作業効率の向上や作業時間の短縮が実現され、洗濯を干す人の毎日の負担は大きく軽減する。
【図面の簡単な説明】
【００１４】
【図１】  洗濯ばさみをつまむ前の状態を示す図
【図２】  洗濯ばさみの開口が保持された状態を示す図
【図３】  洗濯ばさみの解除レバーを押した状態を示す図
【発明を実施するための形態】
【００１５】  以下、本発明の実施の形態を図に基づいて説明する。
【００１６】  本発明の洗濯ばさみの形態は、図１に示すように、一方側つまみ部３上部に開口保持部５を設け、また、他方側つまみ部４上部には、回転軸７を持つバネ可動式爪６及び解除レバー８をそれぞれ設ける。
【００１７】  片手で左右のつまみ部３、４をつまみ、はさみ部１０を開いていくと、開口保持部５が爪６の先端部に当たる。つまんだ力を受けた爪６が、バネ９を圧縮してたわませながら回転軸７を中心として持ち上がり、開口保持部５を爪６の内側に取り込む。その後、バネ９の復元力により、爪６は元の位置まで下がり、開口保持部５は爪６の内側に固定され、図２のようにはさみ部１０が開かれた状態で保持されるため、つまんでいた手は開放される。
【００１８】  次に、開放された同じ手で、洗濯もの１１をはさみ部１０に差し込み、その手の指で、回転軸７に対して爪６の反対側に爪６と一体的に形成された解除レバー８を押し下げると、図３のように爪６はバネ９を圧縮してたわませながら回転軸７を中心として持ち上がり、開口保持部５から離れる。爪６から開放された開口保持部５は、洗濯ばさみのバネ１２の作用でつまむ前の位置に戻るため、はさみ部１０は洗濯もの１１をはさんで閉じる。
【００１９】  以上、本発明の実施は、初めに左右のつまみ部をつまんだ片手の使用のみで完結する。
【実施例】
【実施例１】
【００２０】  片手しか使えない場合は、上述の操作を片手で行い、洗濯ものを洗濯ばさみに干す。
【実施例２】
【００２１】  両手が使える場合は、上述の操作をそれぞれの手で別々に行い、２つの洗濯ものを同時に洗濯ばさみに干す。
【符号の説明】
【００２２】１  洗濯ばさみ一方側
２  洗濯ばさみ他方側
３  一方側つまみ部
４  他方側つまみ部
５  開口保持部
６  爪
７  回転軸
８  解除レバー
９  バネ
１０  はさみ部
１１  洗濯もの
１２  洗濯ばさみのバネ
【要約】      （修正有）【課題】洗濯ものを洗濯ばさみで干す時、操作を片手だけで出来て、作業効率が向上し、負担を軽減できる洗濯ばさみの提供。【解決手段】左右のつまみ部３、４、はさみ部１０、洗濯ばさみのバネ１２を備えた洗濯ばさみにおいて、一方側つまみ部３上部に開口保持部５を設け、他方側つまみ部４上部に、回転軸７を支点としてバネ９で付勢された可動式の爪６及び解除レバー８をそれぞれ設け、爪６を、一方側つまみ部３の開口保持部５上部に引っ掛けることにより、はさみ部１０は開いた状態で保持できる。【選択図】図１【図１】
0004755306.tif 000002
【図２】
0004755306.tif 000003
【図３】
0004755306.tif 000004